(57)【要約】【課題】酵素のみを直接添加する必要がなく、生ゴミの分解処理時間を短縮できると共に、繰り返し長く使用でき経済的である生ゴミ処理剤及びその製造方法を提供する。【解決手段】生ゴミ処理剤は、赤松のチップからなり、該チップは赤松に含まれるテルペン及びリグニンが除去されハニカム構造体からなる。この際、酵素から酸触媒が作り出され、その赤松のチップに、黄土の粉末、麦飯石の顆粒、黄土又は麦飯石を含むセラミックの顆粒からなる群から選択された部材と、黒雲母の粉末と、絹雲母の粉末と、を混合すると良い。黄土、麦飯石、黄土又は麦飯石を含むセラミックには、ＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２が含まれる。【選択図】図２
2009262099.tif 000002
【特許請求の範囲】
【請求項１】
赤松のチップからなり、前記チップは前記赤松に含まれるテルペン及びリグニンが除去されてハニカム構造体となっており、かつ、前記赤松のチップにいる酵素が引き出されるようにしたことを特徴とする生ゴミ処理剤。
【請求項２】
黄土、麦飯石、前記黄土又は麦飯石を含むセラミックからなる群から選択された部材と、黒雲母と、絹雲母と、を加えてなる請求項１記載の生ゴミ処理剤。
【請求項３】
赤松を機械加工により所定の大きさのチップ状にする第一工程と、前記赤松のチップを１２０℃で６０分〜８０分の間蒸して組織を柔らかくする第二工程と、前記柔らかくなった赤松のチップに圧力を加えてその組織を潰す第三工程と、前記潰された赤松のチップにｐＨ１〜ｐＨ２の酸性水溶液を接触させる第四工程と、前記酸性水溶液に接触させた赤松のチップをｐＨ１２〜ｐＨ１４のアルカリ性水溶液に接触させｐＨ３〜ｐＨ４になるように中和させる第五工程と、を順に行うことにより、前記赤松のチップがハニカム構造体となっており、かつ、前記赤松のチップにいる酵素が引き出されるようにしたことを特徴とする生ゴミ処理剤の製造方法。
【発明の詳細な説明】
【技術分野】
【０００１】
本発明は、家庭や一般の食品業界から排出される生ゴミを処理するために使用する生ゴミ処理剤およびその製造方法に関するものである。
【背景技術】
【０００２】
従来、各家庭や一般の食品業界から排出される野菜のクズや残飯といった生ゴミを処理するに、生ゴミ処理装置が使用されるが、その処理方法としては、専ら微生物を使った微生物処理方法と酵素を使った酵素処理方法とがある。この内、従来の微生物処理方法は、例えば、生ゴミを水とＣＯ２に分解する微生物と生ゴミ処理媒体としてのおが屑とを投入しておいた処理槽内に、生ゴミを投入し、保水量を最適に保つと共に温度調整をして生ゴミの分解処理を効率よく行なうようにしたものがある（例えば、特許文献１参照。）。ところが、通常、微生物による処理では、一定期間微生物を使用すると、微生物の分解能力が低下して生ゴミの処理能力が落ち、二次処理が必要になるばかりか、一週間〜二週間と処理時間も長くなる。
【０００３】
一方、従来の酵素処理方法（例えば、特許文献２参照。）は、地球温暖化防止の観点から生ゴミを消滅させることが微生物処理方法に比べ土壌汚染という二次公害を生み出さず、県、市などの処理施設での二次処理をすることなく，ＣＯ２の排出量もより少なくさせることができる。元々、野菜、果物の４０％位を生ゴミとして出すレストラン、製造生産者、家庭は、自身で処理することが望ましい。また、汚泥、油分も処理出来るので二次処理をしなくても済むことが挙げられる。このことから、酵素処理方法は、県、市の生ゴミ処理施設で熱処理したり微生物処理して残る汚泥と灰も処理する必要が無いので、理想的な方法と言える。
【０００４】
【特許文献１】特開平７−２６５８４３号公報（第１−２頁、図１、図２）
【特許文献２】特開２００２−２５４０５４号公報（第７−１２頁、図１−図４）
【発明の開示】
【発明が解決しようとする課題】
【０００５】
しかしながら、前記特許文献２の酵素処理方法は、生ゴミに単に酵素のみを直接添加するのみであるので、酵素と生ゴミとを攪拌して酵素が生ゴミ内に均等に分散するには時間が掛かり、しかも、生ゴミ処理のロット毎に酵素を投入するため、酵素の使用期間が比較的短く経済的でないという課題が有る。
【０００６】
そこで、本発明は前記課題を解決すべくなされたもので、酵素のみを直接添加する必要がなく、生ゴミの分解処理時間を短縮できると共に、繰り返し長く使用でき経済的である生ゴミ処理剤及びその製造方法を提供することを目的とするものである。
【課題を解決するための手段】
【０００７】
かかる目的を達成するため本発明の生ゴミ処理剤は、赤松のチップからなり、前記チップは前記赤松に含まれるテルペン及びリグニンが除去されてハニカム構造体となっており、かつ、前記赤松のチップにいる酵素が引き出されるようにしたことを特徴とする。
【０００８】
この際、前記ハニカム構造体からなる赤松のチップに、黄土、麦飯石、前記黄土又は麦飯石を含むセラミックからなる群から選択された部材と、黒雲母と、絹雲母と、を加えることが好ましい。これら黄土、麦飯石、黄土又は麦飯石を含むセラミックには、いずれもＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２が含まれる。前記黄土、麦飯石、セラミックの内の一つを選択すれば十分であるが、二つまたは三つ更には全部を選択しても良い。
【０００９】
また、前記生ゴミ処理剤の製造方法は、赤松を機械加工により所定の大きさのチップ状にする第一工程と、前記赤松のチップを１２０℃で６０分〜８０分の間蒸して組織を柔らかくする第二工程と、前記柔らかくなった赤松のチップに圧力を加えてその組織を潰す第三工程と、前記潰された赤松のチップにｐＨ１〜ｐＨ２の酸性水溶液を接触させる第四工程と、前記酸性水溶液に接触させた赤松のチップをｐＨ１２〜ｐＨ１４のアルカリ性水溶液に接触させｐＨ３〜ｐＨ４になるように中和させる第五工程と、を順に行うことにより前記赤松のチップがハニカム構造体となっており、かつ、前記赤松のチップにいる酵素が引き出されるようにしたことを特徴とする。
【発明の効果】
【００１０】
本発明の生ゴミ処理剤は、赤松を機械加工により所定の大きさのチップ状にする第一工程と、該赤松のチップを１２０℃で６０分〜８０分の間蒸して組織を柔らかくする第二工程と、該柔らかくなった赤松のチップに圧力を加えてその組織を潰す第三工程と、該潰された赤松のチップにｐＨ１〜ｐＨ２の酸性水溶液を接触させる第四工程と、該酸性水溶液に接触させた赤松のチップをｐＨ１２〜ｐＨ１４のアルカリ性水溶液に接触させｐＨ３〜ｐＨ４になるように中和させる第五工程と、を順に行うことにより、赤松のチップがテルペン及びリグニンが除去され強固なハニカム構造体となる。そして、該赤松に生ずる酵素がハニカム構造体に担持される。このように、酵素のみを直接添加する必要がなく、しかも赤松のチップはハニカム構造体からなり構造的に強固であることから、赤松の酵素と生ゴミから出る酵素が赤松のチップのハニカム構造体内に入り使用期間を長く維持でき、消費量も抑えられ経済的である。
【００１１】
また、赤松にはＣｕ、Ｃｒ、Ｎｉ、Ｚｎ、Ｓが含まれ、これらＣｕ、Ｃｒ、Ｎｉ、Ｚｎ、Ｓを利用して該赤松のチップ自体の酵素の働きを活性化させられるので、生ゴミの分解処理能力が向上し、処理時間の短縮も可能になるという効果を有する。
【００１２】
更に、本発明の生ゴミ処理剤は、ハニカム構造体からなる赤松のチップに、黄土、麦飯石、黄土または麦飯石を含むセラミックから選択された一つの部材と、黒雲母と、絹雲母を加えるようにすれば、黄土、麦飯石、黄土または麦飯石を含むセラミックには、いずれもＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２が含まれるので、これらに熱を加えると遠赤外線と電気が発生して生ゴミの分子間の結合力を弱めるので、生ゴミの分解処理能力が一段と上がり処理時間の更なる短縮が可能になる。また、黒雲母と絹雲母とは、殺菌作用や脱臭作用が有り、これにより分解処理された生ゴミから異臭が生じて周囲に発散され環境の悪化を招くこともないという効果がある。
【発明を実施するための最良の形態】
【００１３】
以下、本発明に係る生ゴミ処理剤およびその製造方法の実施の形態を説明する。生ゴミ処理剤としては、赤松が使用され、更には、黄土（イルライト）、麦飯石、黄土又は麦飯石を含むセラミックからなる群から選択された部材と、黒雲母と、絹雲母と、が加えられる。黄土、麦飯石、黄土又は麦飯石を含むセラミックには、ＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２が含まれる。黄土（イルライト）は粉末（大きさ０．０１ｍｍ〜０．１ｍｍ）、麦飯石は顆粒（大きさ１ｍｍ〜３ｍｍ）、セラミックは顆粒（大きさ１ｍｍ〜３ｍｍ）として使用される。ただ、これに限られることはなく、同時にそれらの内の選択した二つ、三つ更には全部を同時に使用するようにしても良い。そして、これに黒雲母の粉末と、絹雲母の粉末とが使用される。
【００１４】
次に、赤松のチップから酵素を出す方法を説明する。赤松のチップは、機械加工により赤松を長さ１〜５ｍｍに細かく粉砕して作られる（第一工程）。そして、このチップを１２０℃で６０分〜８０分間蒸し、チップの組織を柔らかくする（第二工程）。また、これにローラーで圧力を加えてその組織を潰し、チップの水分を含水量が６重量％位までに搾る（第三工程）。この場合、赤松のチップを煮ても良い。
【００１５】
これにより得られた赤松のチップ（長さ１〜５ｍｍ）を水に漬けて戻すと共に、ｐＨ１〜ｐＨ２の硫酸水または塩酸水といった強酸性水を赤松のチップ材に掛けて混ぜ合わせ赤松に含まれるテルペンとリグニンを除去する（第四工程）。これにより、赤松のチップがハニカム構造体となる。このように赤松のチップにはテルペンが含まれているため、前記強酸性水によって酸化し易くハニカム構造体が早く出来上がる。
【００１６】
次に、前記強酸性水、例えば硫酸水をかけた赤松のチップに、水酸化ナトリウム水といったｐＨ１２〜ｐＨ１４のアルカリ性水を掛けて混ぜ合わせ、その溶液を中性にする（第五工程）。この場合、硫酸水と水酸化ナトリウム水の重量比は１：１の割合である。これにより、その溶液がｐＨ３〜ｐＨ４位の中性になるようにする。また、アルカリ性水としてはその他のアルカリ水溶液でも良い。
【００１７】
このように第一工程乃至第五工程を経て作り出された赤松のチップは、より強固なハニカム構造が出来上がり、籾殻や糠より構造的に強く、長期に亘って培養床として使用でき、酵素も定着し易く破壊もされにくい。
【００１８】
また、赤松のチップは１２０度に加熱され、しかも、強酸性水が掛けられるので、その赤松のチップに含まれる自然菌が死滅し十分に殺菌消毒される。よって、腐敗し難くいことから、前記のようにして赤松のチップ材が一度作り出されれば、長期保存ができいつでも必要なときに使用できる。
【００１９】
また、赤松のチップにはＣｕ（３重量％〜４重量％）、Ｎｉ（１．８重量％〜２．２重量％）、Ｚｎ（９重量％〜１１重量％）、Ｃｒ（２重量％〜３重量％）、Ｓ（１．２重量％〜１．５重量％）が含まれている。この内、Ｃｕは、導電性が高く殺菌作用があると共に触媒としても作用する。Ｚｎは、加水分解酵素の活性に関わりＤＮＡやＲＮＡのリン酸エステルを加水分解によって分離する作用がある。また、Ｚｎは、細胞分裂を起こす働きもする。Ｓは、角質を軟化させる作用と殺菌作用がある。Ｃｒは、酸化剤としての働きをする。Ｎｉは、触媒としての働きをする。これらに前記高酸性水とアルカリ性水とを１：１で混ぜ合わせる時点で、同時に赤松のチップの酵素が酸触媒となると考えられる。酸触媒は熱やｐＨの変化にも安定し、処理能力に優れている。
【００２０】
この赤松のチップを使用して生ゴミを分解処理するときは、後記する処理槽１内の温度を６０℃〜８０℃に設定し、更に、水分を加えて酵素反応を起こさせることにより、生ゴミを処理する。
【００２１】
生ゴミを処理槽１内で分解処理する場合、酵素反応を早く起こさせるために熱と水分を加える必要があるので、生ゴミ中で水分のほとんど無いものには水分を加える。また、同時に早く水分を無くす必要があるため、温度を６０℃〜８０℃に保ちかつ処理槽１の回転速度を２５ｒｐｍ〜４０ｒｐｍに設定して水分を飛ばす。このように、水分を加えかつ水分を早く飛ばすことで生ゴミの分解処理時間が短くなる。水分の割合は、赤松のチップ１リットルに対し水分０．１リットル〜０．２リットルが好ましい。また、水分の多い生ゴミにあっては、追加的に水分を加える必要はない。
【００２２】
前記ＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２を含む黄土（イルライト）の粉末（大きさ０．１ｍｍ〜０．０１ｍｍ）、同じくこれらを含む麦飯石の顆粒（大きさ１ｍｍ〜３ｍｍ）、同じくこれらを含むセラミックの顆粒（大きさ１ｍｍ〜３ｍｍ）と、黒雲母の粉末と、絹雲母の粉末と、は熱を加えるとその熱を吸収して内蔵し、その後４〜１４μｍの遠赤外線を放射する。放射された遠赤外線には、波動性と粒子性でエネルギーを生み出すという二つの性質がある。このエネルギーは電磁波（遠赤外線）といい４〜１４μｍの波長ができる。該遠赤外線が有機物に当たると、最小構成単位である分子と分子に光電効果をもたらし、原子周辺の軌道をマイナスに荷電させるので、原子核は反応的にプラスイオンに荷電して原子の励起状態を発生し次々と新しい原子に伝わり、終局的に物体を構成する全原子が励起する。この電磁波は電気的特性があり、それを時間的に連結して測定すると、電気的変化の大きさや周期が特有な波となって現れ、立体的にあらゆる方向に広がって行く。電気が流れると、磁場ができ、また逆に磁界を変化させると電気が流れて新しい磁場ができ、それによって遠赤外線をより多く放射する。また、電磁波は酸化力を持ち酸化させ分子と分子の結合を弱くする働きがある。
【００２３】
前記ＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２を含む黄土（イルライト）の紛末、または同じくこれらを含む麦飯石の顆粒、または同じくこれらを含むセラミックの顆粒に、黒雲母の粉末及び絹雲母の粉末を加えることにより、殺菌・脱臭効果が高められ熱伝導率も高められる。また、これらから遠赤外線を放射して耐熱性化学的反応を起こさせることもできる。他に、遠赤外線を発生させる鉱石として石英斑岩でもよい。処理槽１内では、その温度を４０℃以上に上げると、遠赤外線が放射される。
【００２４】
処理槽１内の温度を６０℃〜８０℃に保つと、前記黄土（イルライト）または麦飯石またはセラミックまたは黒雲母、絹雲母からより多くの遠赤外線が放射され、耐熱性化学反応を起こすことはもちろん微生物の働きを高め、高温性菌の働きにより生ゴミの分解を早め、酵素自身でより早く生ゴミを処理することができる。
【００２５】
また、処理槽１の中の温度を６０℃〜８０℃に保った状態で、生ゴミと共に赤松のチップを攪拌させるので、遠赤外線が赤松のチップ自身に満遍なくいきわたり、この遠赤外線で赤松のリグニンを除去することもできる。
【００２６】
黄土（イルライト）、麦飯石、セラミックに含まれるＡｌ２Ｏ３（アルミナ）が高酸性水に反応し徐々に溶け出すことによって、酸触媒が出来上がり生ゴミ処理剤の長期使用（持続的な使用）が可能となる。すなわち、処理槽１は酸化するため、Ａｌ２Ｏ３（アルミナ）は高酸性水に触れるとアルミ酸塩となり水素を発生させ電気を起こす。これにより、生ゴミ中の分子と分子の結合を弱くすることもできる。
【００２７】
麦飯石、黄土（イルライト）は重金属、有毒ガスに対する吸着陰イオンを多量に発生させ、水をきれいにする。黄土（イルライト）にはもともと微生物が生息しており、黄土（イルライト）を得られた酸素に混ぜ合わせ、黄土（イルライト）の中の微生物を利用し処理槽１内の温度を６０℃〜８０℃に保ち、高温性菌を活性化させることにより生ゴミをより分解処理し易くする。黄土（イルライト）の中に生息する微生物は、スプーン一杯中に２億個以上生息していることで知られているが、この微生物の高温性菌のみ残して生ゴミの処理能力を高める。
【００２８】
このようにして、ほとんどの生ゴミは分解処理されるが、汚泥のように油を多く含んだ浮遊物質は陽イオンを帯びているため処理し難い。そこで、陽イオンの浮遊粒子と電気的に中和する黄土（イルライト）を追加することで凝集沈殿を誘発させる。麦飯石、黄土（イルライト）は各種重金属及び有毒ガスに対する吸着分解能力に優れており、処理槽１の中で多量の溶殿酵素を発散して水分子を活性化させ陰イオンを多量に発生させる。また、黄土（イルライト）はそうした陰イオンを発生させるため、陽イオンを多く作り出す汚泥と反応し水素イオン、陽イオン、陰イオン、硫化物イオンができ、原子と分子が電子を授受し電気を帯び、分子と分子の結合を弱くする働きもある。
【００２９】
高温性菌として好気性微生物と嫌気性微生物の二つが残るため、処理槽１の中に酸素（空気）が入っても良いし、処理槽１を密封にして酸素（空気）を入れなくても微生物が働くことができ、生ゴミを分解処理することができる。
【００３０】
ここで、図１乃至図３に基づき生ゴミを分解処理する生ゴミ処理装置について説明する。図１は本発明に係る生ゴミ処理装置の外観斜視図、図２は同正面断面図、図３は図２のＸ−Ｘ線断面図である。該生ゴミ処理装置Ａは、生ゴミを投入して分解処理するための処理槽１と、該処理槽１の後方に位置して中和剤・脱臭剤を貯留する貯溜タンク２と、処理槽１の一側に配置される上・下の第一・第二機械室３ａ，３ｂと、生ゴミ処理装置Ａの各種動作を電気的に制御するための制御基板（図示せず。）を収納した制御室４とから概略構成されている。この場合、他の脱臭方法として、例えば、ブラックライトを照射して行なう光触媒が用いられる。
【００３１】
前記処理槽１は、上面が開口１１すると共に該開口１１に開閉自在な被せ蓋１２が軸装される。また、処理槽１内下部の両側板１３、１３間に回転軸１４が水平に横設される。該回転軸１４は、両端部を各側板１３に取着された軸受１５，１５に回転自在に軸支される。そして、回転軸１４の外周面には、投入された生ゴミを攪拌するための攪拌翼１６がその長手方向に沿って、しかも、放射状にかつ均等の間隔を保って突設されている。このため、処理槽１の底板部１７は半円筒状に形成される。また、該底板部１７の外周面には、処理槽１内の温度を高めるためのパネルヒータ１８が添着されている。なお、処理槽１内の温度を高める手段としては、他に処理槽１の外周面に熱風機により熱風を当てたり、処理槽１内に熱風を吹き込むようにしても良い。
【００３２】
貯溜タンク２には水道管２１が接続され、バルブ２２を開閉することにより、貯溜タンク２内に水を貯留できるようになっている。そこで、該貯溜タンク２内に例えば水で薄めた中和剤や脱臭剤を貯留しておき、必要なときに処理槽１内に添加する。また、不要な水は貯溜タンク２の底面に設けられ外部に導かれた排出管２３により排出できるようになっている。
【００３３】
下の第一機械室３ａには、前記処理槽１の一側板１３から外側へ突出した回転軸１４に連結される減速機付きモータ３１が配置され、所定の回転速度で回転軸１４を回転し得るようになっている。
【００３４】
上の第二機械室３ｂには、処理槽１の一側板１３の上方に開設された吸気口３２を介して処理槽１と連通するブロアー３３が設けられ、該ブロアー３３が作動することにより処理槽１内の蒸気を吸引することができるようになっている。
【００３５】
図示は省略するが、制御室４内には電源及びパネルヒータ１８の温度調節、減速機付きモータ３１の回転数調節、ブロアー３３の作動が行なえるスイッチが備えられ、これらスイッチを操作することにより生ゴミ処理装置Ａが駆動する。
【００３６】
そして、パネルヒータ１８に通電して処理槽１内の温度を６０℃〜８０℃に設定すると共に減速機付きモータ３１を１０ｒｐｍ〜３５ｒｐｍの間で所定の回転数に設定して回転させる。この状態で、処理槽１内に所定量の生ゴミを投入し、同時に本発明に係る所定量の生ゴミ処理剤を入れ、運転を継続させる。この間、処理槽１内の水分が足りないときは、被せ蓋１２を開けて水を供給する。また、中和剤や脱臭剤も同様である。
【００３７】
このようにして生ゴミ処理装置Ａの運転を継続するが、回転軸１４の回転速度を２５ｒｐｍ〜４０ｒｐｍで回転させると、生ゴミの水分を早く飛ばし乾燥が早められ、生ゴミの分解処理を早めることができる。生ゴミは水分が多いため早く水分を抜き取る必要が有るからである。また、赤松自体のＣｕ、Ｃｒ、Ｎｉ、Ｚｎ、Ｓの働きと、ＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２を含む黄土（イルライト）の粉末、または同じくこれらを含む麦飯石の顆粒、または同じくこれらを含むセラミックの顆粒と、黒雲母の粉末及び絹雲母の粉末から遠赤外線が放射され、電気を起こして生ゴミの分子間の結合を弱め、しかも、自然界の微生物をも利用して生ゴミを分解する。
【００３８】
特に、本発明は、赤松のチップの酵素と黄土（イルライト）に含まれる微生物と自然界及び生ゴミ中に含まれる微生物も取り込んで生ゴミの分解を早めるようにしており、従来に比べ生ゴミの分解処理能力が高められている。また、この処理方法では、処理槽１内の赤松のチップと酸化力を持った強酸性水と鉱石は酸化し易く、また、微生物も処理過程で酸を出すため処理能力が高められる。更に、赤松のチップから得られるハニカム構造体と黄土、麦飯石及びこれらを含むセラミックに備わる多孔質とを利用することにより生ゴミ処理剤を長時間処理能力を落さずに使用できる。また、熱や酸に強い酸触媒が出来上がる。この生ゴミ処理剤は、生ゴミを連続して投入し続けても処理能力が低下することがなく、従来の微生物処理方法のように残留物が増加することは無い（ＣＯ２とＨ２Ｏに分解。）が、この方法では入れた元々の生ゴミ処理剤も少しずつは減少するので、一定期間経過後（例えば、月に一度）追加するようにする。なお、生ゴミ処理剤が減っても生ゴミを完全に処理するので、従来のように残留物が残らず二次処理する必要がない。
【実施例】
【００３９】
赤松のチップ、ＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２を含む麦飯石の顆粒、ＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２を含む黄土（イルライト）の粉末、黒雲母の粉末、絹雲母の粉末を適宜混ぜた生ゴミ処理剤を使用して実験を行なった。
【００４０】
１．赤松のチップ５４重量％、麦飯石３５重量％、黄土（イルライト）５重量％、黒雲母３重量％、絹雲母３重量％を入れた（５０ｋｇ当たり）。
２．回転数は３５ｒｐｍ
３．処理槽１内の温度は６５℃
４．運転時間２４時間、３時間ごとに１回当たり２５ｋｇの生ゴミを投入した。
１時間ごとに運転を止め、残さいをチェックした。その後、また運転を３時間ごとに３回チェックし、残りの１５時間運転し続けた。
５．１０日を除く１８０日間の運転実験を行なった。
６．２４時間ごとに水分を１０ｋｇ加えた。
【００４１】
イ．コンニャク、野菜、果物、残飯、麺類、大根、キャベツ・・・１時間以内で処理できた。
魚（ハマチ、マグロ、イワシ、塩サケ）は骨のみ１〜５ｃｍ位残った。
タマネギは表面の皮のみ残った。
ロ．魚の骨、タマネギの皮・・・３時間後に処理できた。
ハ．貝類、豚の骨、鶏の骨、タネ・・・３時間では処理できず、１２時間後に処理できた。
ニ．枝豆の皮、トウモロコシの芯、昆布・・・１２時間で処理できた。
ホ．貝類、骨類、枝豆の皮、トウモロコシの芯、コンブ等を小さく粉砕して１ｃｍ〜２ｃｍ位の大きさで実験を行なった場合、３時間で処理できた。
ヘ．鶏の羽・・・２４時間で処理できた。
ト．貝類のみ実験（１ｃｍ〜２ｃｍ位）・・・１２時間で処理できた。
チ．鶏のみ羽付の実験・・・羽のみ残し１２時間で処理できた。
リ．オカラのみ入れ実験を行なった。・・・３時間で処理できた。
ヌ．汚泥（２５ｋｇ）・・・１時間で処理できた。
ル．人糞、鶏糞（２５ｋｇ）・・・１時間で処理できた。
【００４２】
１．生ゴミを２５ｋｇ入れ２４時間後の量をチェックした。投入するものにより異なったが全体量が少し増えた（約１１０％）。
２．２５日後の全体量もチェックした。８８％〜９２％減少した。
３．２５日毎に新しい生ゴミ処理剤を入れ２５日毎に全体量をチェックした。バラつきはあるが、８８％〜９２％減少した。
４．１２５日実験を行なったが、この繰り返しであることが分かった。
【００４３】
全体量が１ヶ月で１０％位減少することが分かった。赤松のチップ自身のハニカム構造体が分解されていくことでこれを含め生ゴミを分解消滅させることが分かったので、２５日毎に生ゴミ処理剤を１０％追加することで生ゴミが処理できる。
【００４４】
処理能力も従来の微生物処理方法や酵素処理方法に比べ早く処理できる。例えば、普通の生ゴミなら１時間〜３時間で分解処理でき、処理し難い骨、繊維質のものでも小さくすれば１２時間以内に処理できることが分かった。また、単体有機物のみでも処理できることが分かった。更に、処理槽１内の温度を７０℃以上に上げると、６０℃の時より分解処理時間が早いことも分かった。
【００４５】
処理槽１内の回転軸１４の回転数を１０ｒｐｍ、２０ｒｐｍ、３５ｒｐｍと上げていく実験も行なった。１０ｒｐｍから２０ｒｐｍ、３５ｒｐｍと上げていくと、生ゴミ処理剤や生ゴミの水分がより早く無くなることも分かった。すなわち、回転数が高くなると生ゴミの処理能力が上がることである。
【００４６】
水分の少ない野菜類、貝類、骨類、魚等の実験で生ゴミ処理剤の水分が少ないと、生ゴミの処理能力が落ちることも分かった。このため、処理槽１内の水分を全体量の２０％〜３０％、１２時間に１回入れる必要がある。水分が逆に多すぎると、処理能力が落ちることも分かった。水分が全体量の５０％以上の場合、その水分を飛ばす時間が掛かる実験では、それぞれの１．５倍の時間が掛かる。また、温度を６５℃〜７０℃位に保つようにすると、最も生ゴミの処理能力が上がることも分かった。
【００４７】
生ゴミとして味噌、塩等のみの実験も行なった。２４時間後に白菜、キャベツ、魚、肉を入れたが、１時間〜２時間運転時間を増やすことで処理できることが分かった。このことは酵素とＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２の力のみでも処理できるということである（微生物は塩素に弱いため）。また、赤松のチップを乾燥させ温室１５℃〜２５℃で１ヶ月休ませた後に、実験を行なった。水分を２０％入れ、肉、魚、野菜、果物などを投入して実験を行なった。１時間〜３時間で処理槽１内の温度６５℃で処理できた。このことは、ゴミ処理剤がいつでも使用できることを意味する。
【００４８】
赤松のチップを−１５℃で１ヵ月寝かせ、その後解凍し処理槽１の温度６５℃で実験を行なったが、白菜、キャベツ、小魚、肉（豚肉）の生ゴミは１時間〜３時間で処理できた。
【００４９】
赤松のチップを温室１５℃〜２５℃で乾燥させ１ヶ月休ませた後に、水分を２０％入れ、肉、魚、野菜、果物などを投入して実験を行なったが、この際、顕微鏡で微生物を調べた。微生物は直には発見できなかったが、処理槽１内の温度６５度、１時間後には微生物（高温性菌）が確認された。しかも、時間が経つ毎に多くなることも確認できた。
【００５０】
赤松のチップを混ぜたＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２を含む麦飯石の顆粒に、黒雲母の粉末及び絹雲母の粉末を入れた場合と入れない場合で実験も行なった。処理槽１内の温度６５℃で回転軸１４を回転し続けた状態で、ＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２、を含む麦飯石に黒雲母、絹雲母を入れた場合は、処理時間が早いことが分かった。また、これらを入れた場合は、処理槽１内で手で触れない位の放電が起こるので、処理槽１内に電気が溜まることも分かった。これにより、生ゴミを構成する分子と分子の結合力が弱められると考えられる。処理槽１内の電気を逃す為には、処理槽１からアースを取る必要がある。
【００５１】
黄土（イルライト）を入れずに実験を行なった場合、生ゴミの処理能力は初回のみ１時間位遅くなるが、３時間後には微生物が増えた。自然界及び生ゴミの持つ微生物が増えたためと考えられる。また、赤松のチップのみでも生ゴミを能率的に処理し得るようになる。
【００５２】
処理槽１内の温度が６０℃〜８０℃で回転軸１４の回転数を２５ｒｐｍ、または３５ｒｐｍにすると、水分がより早く無くなり処理出来るが、処理槽１内の水分を早く無くすためにその水分を吸引機で集め水で冷やす必要がある。これにより、処理槽１内の水分を早く無くすことができる。このことは、また早く生ゴミを分解処理できることを意味する。空気を処理槽１の中に入れることにより、多くの水分を飛ばせることも分かった。
【００５３】
この発明は、酵素のみを直接添加する必要がなく、赤松のチップを温度１２０℃で加熱すると共に水分が６％位になるように圧力を掛けて組織を柔らかくし、２つ以上の高酸性水で赤松のチップのハニカム構造を簡単に作るようにしている。そして、多孔質物質とそのハニカム構造とに酵素を定着させ、かつ、微生物を取り込んで微生物を増やしＴｉＯ２、ＺｒＯ２、Ｐ２Ｏ５、ＭｎＯ、Ｋ２Ｏ、ＣａＯ、ＭｇＯ、Ｆｅ２Ｏ３、Ａｌ２Ｏ３、Ｎａ２Ｏ及びＳｉＯ２を含む黄土の粉末、または同じくこれらを含む麦飯石の顆粒、または同じくこれらを含むセラミックの顆粒、黒雲母の粉末、絹雲母の粉末を使用して電気を発生させ生ゴミの分子間の結合力を弱める。また、赤松のチップに含まれるＣｕ、Ｃｒ、Ｎｉ、Ｚｎ、Ｓの働きによることと、黄土（イルライト）の微生物を利用し、高温と処理槽１内の回転軸１４の回転数を上げて生ゴミの水分をより早く飛ばし、酸触媒を作り出し、生ゴミ処理剤をより早くより長くもたせて長期に使用できるようにすることにより、生ゴミをより早く分解できることが検証できた（この場合、黄土（イルライト）を入れなくても良い。これは生ゴミの微生物と空気中の自然の微生物が入るためである。）。
【図面の簡単な説明】
【００５４】
【図１】本発明に係る生ゴミ処理装置の外観斜視図。
【図２】同正面断面図。
【図３】図２のＸ−Ｘ線断面図である。
【符号の説明】
【００５５】
１          処理槽
２          貯溜タンク
３ａ        第一機械室
３ｂ        第二機械室
４          制御室
Ａ          生ゴミ処理装置
【図１】
2009262099.tif 000003
【図２】
2009262099.tif 000004
【図３】
2009262099.tif 000005